(57)【要約】【課題】補強ストリップを安定化土壌構造の外装に固定する新しい方法を提案する。【解決手段】安定化土壌構造のための外装エレメントは、鋳造材料の本体（４）を備えており、その内部には、エレメントの後面（７）に位置する２つの出現ポイント（６）間の補強ストリップ（２）のための経路が形成されている。この経路は、２つの出現ポイントにそれぞれ隣接し、後面に垂直な同一の出現平面にストリップを位置決めするようにそれぞれ配置された２つの直線部分（８）と、２つの直線部分をそれぞれ続け、出現平面からストリップを反らすように配置された２つの湾曲部分（９）と、２つの湾曲部分を互い接続し、出現平面の外側に位置する少なくとも１つのループ（１０）を有する接続部分と、を含んでいる。【選択図】図３
2006152790.tif 000002
【特許請求の範囲】
【請求項１】
安定化土壌構造において、
盛土（１）と、
前記構造の前面の後ろに位置する前記盛土の補強領域を通して延びる補強ストリップ（２）と、
前記前面に沿って配置された外装（３）であって、前記補強ストリップがそれぞれの固定領域で該外装に固定された外装（３）と、を備え、
前記外装が、少なくとも１つの固定領域に、前記盛土に隣接する前記外装（３）の後面に位置する２つの出現ポイント（６）間の補強ストリップのために形成された経路を含んでおり、
前記経路が、
前記２つの出現ポイントにそれぞれ隣接し、前記後面に垂直な共通の出現平面（Ｐ）に前記ストリップを位置決めするようにそれぞれ配置された２つの直線部分（８）と、
前記２つの直線部分をそれぞれ続け、前記出現平面から前記ストリップを反らすように配置された２つの湾曲部分（９；１９）と、
前記２つの湾曲部分を互いに接続し、前記出現平面の外側に位置する少なくとも１つのループ（１０；１０’；１０”；２０）を有する接続部分と、
を含んでいることを特徴とする安定化土壌構造。
【請求項２】
請求項１に記載の構造において、
前記外装（３）が、パネル形状のエレメント（４）からなり、
前記経路の直線部分（８）が、パネル形状の外装エレメントの少なくとも半分の厚みを越えて、前記出現平面（Ｐ）内でそれぞれ延びていることを特徴とする構造。
【請求項３】
請求項１または２に記載の構造において、
前記補強ストリップ（２）が、最大でも前記外装（３）の厚みの半分に等しい幅を有していることを特徴とする構造。
【請求項４】
請求項１〜３のいずれかに記載の構造において、
前記外装（３）が、前記固定領域に、前記経路に沿って前記補強ストリップ（２）を受け入れる保護シース（１５）を有していることを特徴とする構造。
【請求項５】
安定化土壌構造のための外装エレメントにおいて、
鋳造材料の本体（４）であって、その内部に該本体の後面に位置する２つの出現ポイント（６）間の補強ストリップ（２）のための経路が形成された鋳造材料の本体（４）を備え、
前記経路が、
前記２つの出現ポイントにそれぞれ隣接し、前記後面に垂直な共通の出現平面（Ｐ）に前記ストリップを位置決めするようにそれぞれ配置された２つの直線部分（８）と、
前記２つの直線部分をそれぞれ続け、前記出現平面から前記ストリップを反らすように配置された２つの湾曲部分（９；１９）と、
前記２つの湾曲部分を互いに接続し、前記出現平面の外側に位置する少なくとも１つのループ（１０；１０’；１０”；２０）を有する接続部分と、
を含んでいることを特徴とする外装エレメント。
【請求項６】
請求項５に記載の外装エレメントにおいて、
前記本体（４）がパネル形状とされ、
前記経路の直線部分（８）が、前記後面（７）に垂直に測って前記本体の少なくとも半分の厚みを越えて、前記出現平面（Ｐ）内でそれぞれ延びていることを特徴とする外装エレメント。
【請求項７】
請求項５または６に記載の外装エレメントにおいて、
前記本体（４）が、前記後面（７）に垂直に、少なくとも前記補強ストリップ（２）の幅の２倍に等しい厚みを有していることを特徴とする外装エレメント。
【請求項８】
請求項５〜７のいずれかに記載の外装エレメントにおいて、
前記経路に沿って前記補強ストリップ（２）を受け入れて前記鋳造材料から前記ストリップを分離するために、前記本体（４）の鋳造材料によって取り囲まれた保護シース（１５）をさらに備えていることを特徴とする外装エレメント。
【請求項９】
請求項８に記載の外装エレメントにおいて、
前記ストリップ（２）は、前記エレメントが製造されるときに前記シース（１５）に取り付けられていないことを特徴とする外装エレメント。
【請求項１０】
請求項５〜８のいずれかに記載の外装エレメントにおいて、
前記ストリップ（２）は、前記本体（４）の材料が鋳造されるときに前記経路に配置されていることを特徴とする外装エレメント。
【請求項１１】
請求項５〜１０のいずれかに記載の外装エレメントにおいて、
前記経路の２つの湾曲部分（９）が、前記ストリップ（２）を前記出現平面（Ｐ）の共通の側（Ｐ１）の方へ向け、
前記ストリップが前記２つの直線部分（８）に受け入れられて、前記ストリップの共通の面が前記出現平面の前記共通の側の方へ向けられるように、前記経路が形成されていることを特徴とする外装エレメント。
【請求項１２】
請求項１１に記載の外装エレメントにおいて、
前記ストリップの前記面が前記出現平面（Ｐ）の外側に位置する前記ループ（１０）の外側に配置されるように、前記経路が形成されていることを特徴とする外装エレメント。
【請求項１３】
請求項１１に記載の外装エレメントにおいて、
前記ストリップの前記面が前記出現平面（Ｐ）の外側に位置する前記ループ（１０’）の内側に配置されるように、前記経路が形成されていることを特徴とする外装エレメント。
【請求項１４】
請求項５〜１０のいずれかに記載の外装エレメントにおいて、
前記経路の２つの湾曲部分（９）が、前記ストリップ（２）を前記出現平面（Ｐ）の共通の側（Ｐ１）の方へ向け、
前記ストリップが前記２つの直線部分（８）のうちの一方に受け入れられて、前記ストリップの一方の面が前記出現平面の前記共通の側の方へ向けられるように、かつ、前記ストリップが前記２つの直線部分のうちの他方に受け入れられて、前記ストリップの前記面が前記出現平面の前記共通の側から離れる方へ向けられるように、前記経路が形成されていることを特徴とする外装エレメント。
【請求項１５】
請求項５〜１０のいずれかに記載の外装エレメントにおいて、
前記経路の２つの湾曲部分（１９）が、前記ストリップ（２）を前記出現平面（Ｐ）の２つの反対の側（Ｐ１（Ｐ２）の方へそれぞれ向け、
前記接続部分が、前記経路の２つの湾曲部分をそれぞれ続ける２つのループ（２０）と、前記出現平面に交差するとともに前記２つのループを互いに接続する部分（２１）と、有していることを特徴とする外装エレメント。
【発明の詳細な説明】
【技術分野】
【０００１】
本発明は、安定化土壌構造あるいは補強土構造に関する。この建造技術は、一般に、擁壁や橋台などの構造を製造するために使用される。
【背景技術】
【０００２】
安定化土壌構造は、締め固め盛土と、外装と、通常は外装に接続される補強体とを結合している。補強体は、構造に作用するであろう応力に応じた密度で土壌中に配置され、土壌のスラスト力は、土壌−補強体の摩擦によって作用しあう。
【０００３】
本発明は、特に、補強体が例えばポリエステル繊維に基づいた合成材料のストリップ形状である場合に関する。
【０００４】
外装は、多くの場合、スラブあるいはブロック形状の、構造の前面をカバーするために並置されたプレハブ式コンクリートエレメントからなっている。構造が１つ以上のテラスを有している場合、外装における異なる高さ間のこの前面に、水平ステップが存在していてもよい。
【０００５】
盛土中に配置された補強体は、通常、様々な形状をとりうる機械的接続部材によって外装に固定されている。一度構造が完成すると、盛土を通じて分散された補強体は、いくつかの場合において最高数トンまでの高い負荷を伝達する。外装へのそれらの接続部は、全体の結合を維持するために頑丈である必要がある。
【０００６】
接続部材は、劣化の危険性を有している。それらは、多くの場合、盛土内に存在あるいは浸透した湿気あるいは化学薬品による腐食に対して敏感である。接続部材は、時として、それらがすぐに腐食しないように樹脂あるいは複合材料に基づいて形成されている。しかしながら、それらのコストは増大し、また、それらに優れた機械的特性を与えることが困難である。したがって、構造の外装エレメントと補強体との間の接続部材なしで済ますことができるのが望ましい。
【０００７】
いくつかのシステムでは、外装エレメントが、補強ストリップを受け入れるための少なくとも１つの通路を存在させるように構成されている。
【０００８】
特許文献１では、通路が、パネル形状の外装エレメントの厚み内でＣ字形状となっている。ストリップが所定位置に配置されると、外装エレメントから出現するその２つのセクションが、垂直方向にオフセットされた２つの平行な水平面に位置する。パネルからのストリップのこの出現状態は、作業の実行を複雑にして長引かせてしまう盛り及び締め固め操作の数を増やす必要があるため、理想的ではない。これは、その下側部分が盛土でカバーされているときにストリップがパネルによって保持されないため、ストリップに均一に張力をかけることを容易に許容しない。
【０００９】
これらの理由のため、一般に、ストリップは同一の水平面において外装エレメントから出現することが望ましい。
【００１０】
加えて、補強ストリップのＣ字形状の経路は、応力が加えられたときの固定の頑丈さに関して最適ではない。ストリップの出現ポイント近くでの経路の湾曲は、コンクリートの小さな厚みの張力での作業を生じさせ、これはこの材料に応力を加える良い方法ではないため、エレメントへのその固定を弱める。
【００１１】
同様の問題が、特許文献２に開示されたタイプの外装エレメントに生じている。このエレメントはまた、Ｃ字形状に予め形成された経路を有している。加えて、このＣ字形状の経路は、補強ストリップの各部分が垂直面に方向付けられたエレメントから出現するように配置されている。これは、グラウンドに配置されたストリップがそれ自体を自然と水平面に位置決めして、盛土内のストリップの各部分が１／４回転ねじれるようになるため、満足できるものではない。そのようなねじれは、補強体の機械的挙動に関して望ましくない。
【特許文献１】米国特許第５８３９８５５号明細書
【特許文献２】仏国特許出願公開第２８１２８９３号明細書
【発明の開示】
【発明が解決しようとする課題】
【００１２】
本発明の目的は、上述した問題の発生率を減少させることが可能な、補強ストリップを安定化土壌構造の外装に固定する新しい方法を提案することである。
【課題を解決するための手段】
【００１３】
したがって、本発明は、安定化土壌構造において、盛土と、構造の前面の後ろに位置する盛土の補強領域を通して延びる補強ストリップと、前面に沿って配置された外装であって、補強ストリップがそれぞれの固定領域で該外装に固定された外装と、を備えた安定化土壌構造を提案している。少なくとも１つの固定領域において、外装が、盛土に隣接する外装の後面に位置する２つの出現ポイント間の補強ストリップのために形成された経路を組み込んでいる。この経路は、２つの出現ポイントにそれぞれ隣接し、後面に垂直な共通の出現平面にストリップを位置決めするようにそれぞれ配置された２つの直線部分と、２つの直線部分をそれぞれ続け、出現平面からストリップを反らすように配置された２つの湾曲部分と、２つの湾曲部分を互いに接続し、出現平面の外側に位置する少なくとも１つのループを有する接続部分と、を含んでいる。
【００１４】
外装の内部のストリップのループが出現平面の外側にオフセットされるという事実は、このストリップが特定の深さまでこの平面内に方向付けられることを維持する一方で、このストリップが外装の厚み内に貫入することを許容する。これは、外装から出現しているストリップの優れたガイドを確実なものとし、鋳造材料（一般にはコンクリート）に不適切な応力を加えることを回避する。これは、補強ストリップが極端に鋭利な湾曲に従わないようにしてそれが高い収縮力を受けるのを回避することを確実なものとする一方、補強ストリップの優れた位置決め及び効果的な固定を許容する。
【００１５】
経路の直線部分は、好ましくは、外装の少なくとも半分の厚みを越えて、出現平面内でそれぞれ延びている。補強ストリップは、一般に、最大でも外装の厚みの半分に等しい幅を有している。
【００１６】
構造の１つの実施例では、外装が、固定領域に、経路に沿って補強ストリップを受け入れる保護シースを有している。このシースは、鋳造材料からストリップを分離して、補強体を早期の損傷から保護する。特に、補強体がポリエステル繊維を用いて得られているならば、これらはコンクリート内で見つかるアルカリ環境に対して十分な耐性を有していないことが知られている。したがって、上述のシースは、ストリップのポリエステル繊維上のプラスチックコーティングによって与えられる保護部を補う。
【００１７】
本発明の第２の特色は、鋳造材料の本体であって、その内部に該本体の後面に位置する２つの出現ポイント間の補強ストリップのための経路が形成された鋳造材料の本体を備えた、安定化土壌構造のために外装エレメントに関する。経路は、２つの出現ポイントにそれぞれ隣接し、後面に垂直な共通の出現平面にストリップを位置決めするようにそれぞれ配置された２つの直線部分と、２つの直線部分をそれぞれ続け、出現平面からストリップを反らすように配置された２つの湾曲部分と、２つの湾曲部分を互いに接続している、出現平面の外側に位置する少なくとも１つのループを有する接続部分と、を含んでいる。
【００１８】
ストリップは、上述した保護シースの有無にかかわらず、本体の材料が鋳造されるときに経路内の所定位置に置くことができる。
【００１９】
外装エレメント内にストリップのために画成される経路のための様々な構成が可能である。いくつかの実施例では、経路の２つの湾曲部分が、ストリップを出現平面の共通の側に向ける。この場合、第１の可能性は、ストリップを２つの直線部分に受け入れて、ストリップの同一の面が出現平面のこの側の方へ向けられるように、経路が形成されていることである。したがって、ストリップの前記面が出現平面の外側に位置するループの外側あるいは内側に配置されるように、経路が形成される。第２の可能性は、ストリップを２つの直線部分のうちの一方に受け入れて、ストリップの一方の面が出現平面の前記共通の側の方へ向けられるように、かつ、ストリップを２つの直線部分のうちの他方に受け入れて、ストリップの前記面が出現平面の前記共通の側から離れる方へ向けられるように、経路が形成されていることである。
【００２０】
他の実施例では、経路の２つの湾曲部分が、ストリップを出現平面の２つの反対の側の方へそれぞれ向け、経路の接続部分が、経路の２つの湾曲部分をそれぞれ続ける２つのループと、出現平面に交差するとともに２つのループを互いに接続する部分と、を有している。
【００２１】
本発明の他の特徴及び効果は、添付図面を参照した非制限的ないくつかの具体例による以下の説明から明らかになるであろう。
【発明を実施するための最良の形態】
【００２２】
図１は、安定化土壌擁壁の建造に対する本発明の適用を示している。補強体２が分散された締め固め盛土１は、パネル形状のプレハブ式エレメント４を並置することによって形成された外装３により、構造の前側で区切られ、また、擁壁がこれに抗して組み立てられた土壌５により、後側で区切られている。
【００２３】
補強体２は合成補強部材を備えており、該合成補強部材は、外装３の後ろの水平面に延在する可撓性ストリップ形状とされている。これらは、特に、ポリエチレンに包まれたポリエステル繊維に基づいた補強ストリップであってもよい。
【００２４】
補強ストリップ２は、外装３を形成するように互いに結合されたプレハブ式エレメント４に取り付けられている。これらのエレメント４は、一般に、鉄筋コンクリートからなっている。示された例において、それらはパネル形状である。それらはまた、他の形状、特にブロック形状を有することができる。そのようなエレメント４のコンクリートが鋳物である場合、ストリップ−エレメントの固定部を設けるために、１つ以上の補強ストリップ２が、以下に記載する経路に沿ってモールド内に取り付けられる。コンクリートが固まると、各ストリップは、エレメントから出現するとともに盛土材料に取り付け可能な２つのセクションを有する。
【００２５】
構造を組み立てるための手順は、以下の通りであってもよい。
ａ）特定の深さを越えて盛土材料を導入することがその後で可能となるように、外装エレメント４のうちのいくつかを配置するステップ。周知のように、外装エレメントの組み立て及び位置決めは、それらの間に配置される組立部材によって、より容易になされてもよい。ストリップ２は、外装エレメント４に位置決めされ、該外装エレメントは、外装が組み立てられたときにそれらのいくつかが同一の水平高さに位置する。
ｂ）補強ストリップ２の配置のための次の指定された高さに到達するまで、盛土材料を導入して次第にそれを締め固めるステップ。
ｃ）この高さにおいて盛土に補強ストリップ２を置くステップ。
ｄ）まさに取り付けられた補強ストリップ２上に盛土材料を導入するステップ。この盛土材料は、導入されるのにしたがい締め固められる。
ｅ）一連の外装エレメント４に対していくつかの高さのストリップが設けられる場合には、ステップｂ）〜ｄ）を繰り返すステップ。
ｆ）盛土のより高い高さに到達するまで、ステップａ）〜ｅ）を繰り返すステップ。
【００２６】
盛土材料の導入及び締め固め中に、より低い高さにおいて既に配置された補強ストリップ２は、張力がかけられている。この張力は、ストリップと盛り材料との間の摩擦から生じており、構造の補強を確実なものとする。張力が良い状況下で確立されるようにするため、１つの高さにおけるストリップは、それらがすべて正しくこの高さに位置合わせされるように、それらの外装エレメントから出現していることが望ましい。また、それらが盛り材料内でねじれないことを確実にするため、それらが外装から出現する場合にそれらが水平に方向付けられていることが望ましい。
【００２７】
外装エレメントからのそれらの出現ポイント６において、ストリップ２の２つのセクションが、（図２の平面に垂直な）共通の出現平面Ｐ内に存在している。外装３が組み立てられると、この出現平面が水平となるように、エレメント４が方向付けられる。
【００２８】
図２は、本発明のいくつかの実施例に使用することができる外装エレメントを示している。慣習的なように、このエレメント４は、鋳造コンクリートからなっている。補強ストリップ２は、コンクリートの鋳造時にモールド内に配置され、コンクリートが固まるまで所定位置に維持される。それは、コンクリートの補強バー（図示せず）を用いてガイドされることができ、選択的には、ストリップが固定領域内の所望の経路に従うように、これらのバーに固定された反らしロッドあるいは部材によって補完される。この経路は、（盛土に隣接して対向する）エレメントの後面７におけるストリップの２つの部分の２つの出現ポイント６間のエレメント４の内部に画成されている。
【００２９】
図２のエレメントに対応する経路が、図３によって図示されている。それは、出現ポイント６からスタートしてエレメントの後面７に垂直に延びる２つの直線部分８を有している。各直線部分８において、ストリップは、その出現平面Ｐ内にとどまっている。直線部分８は、後面７に垂直に測定して、エレメント４の本体の少なくとも半分の厚みを越えて延びている。これは、後面７近くのコンクリートに望ましくない応力を加えることを回避する。
【００３０】
ストリップの経路の各直線部分８は、ストリップが出現平面Ｐから反れることになるそれぞれの湾曲部分９によって続けられている。この湾曲部分９を越えて、ストリップ２は、エレメントの前面に沿って延び、構造の表面で目立たないようにこの前面からわずかに後退している。
【００３１】
２つの湾曲部分９は、接続部分によって互いに接続されており、該接続部分は、出現平面Ｐの外側に位置するループ１０を有している。
【００３２】
図２及び３の例では、ストリップは、外装エレメント４の内部のその経路の２つの湾曲部分９において、出現平面Ｐの同一の側Ｐ１に向けられている。この経路は、以下のように形成されている。（ｉ）２つの直線部分８において、ストリップが出現平面のＰ１側の方へ向けられた同一の面を有する。（ｉｉ）ストリップのこの面がループ１０の外側に配置される。したがって、ループ１０の中央において、ストリップは、エレメントの後面７に実質的に垂直に位置決めされる。
【００３３】
図４に示された他の実施例では、ループ１０’が反対方向に向けられている、つまり、出現平面のＰ１側の方へ向けられたストリップの面がループ１０’の内側に配置されている。
【００３４】
図５に図示された他の実施例では、ストリップは、その経路の２つの直線部分８のうちの一方に従って、その２つの面のうちの一方が出現平面ＰのＰ１側の方へ向けられ、また、２つの直線部分８のうちの他方に従って、前記面がＰ１側とは反対側の出現平面のＰ２側の方へ向けられている。
【００３５】
外装エレメントの内部の補強ストリップに従う経路のための他の構成も可能である。図６は、２つの湾曲部分１９を互いに接続する接続部分が平面Ｐの両側に２つのループ２０を含む例を示している。この例では、経路の２つの湾曲部分１９が、出現平面Ｐの反対の２つの側Ｐ１，Ｐ２にストリップをそれぞれ向けている。接続部分は、平面Ｐに交差して２つのループ２０を互いに接続する部分２１を有している。
【００３６】
図３〜６に図示されたような経路に容易に従うようにするため、ストリップ２の幅は、外装エレメント４の厚みの半分よりも少ないか、あるいは最大でも等しくなっているようにすることが好ましい。この厚みは、一般に１４〜１６ｃｍである。約４５ｍｍの幅を有するストリップを使用することが可能であろう。
【００３７】
補強ストリップがアルカリ環境に敏感なコンポーネント（例えばポリエステル繊維）を有している場合、このストリップとコンクリート外装との間にプラスチックからなる保護シースを配置することが有利であるかもしれない。このシースは、コンクリートのアルカリ度が、敏感なコンポーネントまで伝わらないことを確実にする。可撓性を有するシースは、モールド内に一緒に配置される前にストリップを受け入れる。したがって、それは、注がれたコンクリートによって取り囲まれ、コンクリートからそれを分離するためにその経路に沿って補強ストリップを受け入れる。
【００３８】
エレメントが製造されたときに、補強ストリップがまだ、そのシース１５内に嵌め込まれていないことが考えられる。したがって、所望の経路に前もって成形された剛体シースを使用することが便利である。図７は、このように形成された外装エレメント４の後面を示しており、垂直に離間した複数の高さにおいて２つの補強ストリップを受け入れることができる。シース１５は、出現ポイント６間のエレメント４の内部に経路を画成する。それらは、予め形成された剛体シースとすることができ、例えば、図３〜６に図示された形状のうちの１つによるものとすることができる。
【００３９】
図７による構成は、それらの経路に沿ってストリップを通して装着する操作を必要とする。しかしながら、それは、外装エレメントの製造から独立してストリップ長さを選択することを可能にするという長所がある。
【００４０】
一般的に言って、安定化土壌構造の外装とその補強ストリップの少なくとも一部との間の接続に関して提案された方法は、多数の構造構成、ストリップ長さ、ストリップ位置決め密度などに適合している。
【図面の簡単な説明】
【００４１】
【図１】建造される過程の本発明による安定化土壌構造の側方断面での概略図である。
【図２】本発明による外装エレメントの横断面図である。
【図３】補強ストリップが従うことになる、本発明による外装エレメント内の経路の斜視図である。
【図４】補強ストリップが従うことになる、本発明による外装エレメント内の経路の斜視図である。
【図５】補強ストリップが従うことになる、本発明による外装エレメント内の経路の斜視図である。
【図６】補強ストリップが従うことになる、本発明による外装エレメント内の経路の斜視図である。
【図７】本発明による他の外装エレメントの後面図である。
【符号の説明】
【００４２】
１  盛土
２  補強ストリップ
３  外装
４  外装エレメント
５  土壌
６  出現ポイント
７  後面
８  直線部分
９  湾曲部分
１０，１０’，１０”  ループ
１５  シース
１９  湾曲部分
２０  ループ
２１  部分
Ｐ  出現平面
【図１】
2006152790.tif 000003
【図２】
2006152790.tif 000004
【図３】
2006152790.tif 000005
【図４】
2006152790.tif 000006
【図５】
2006152790.tif 000007
【図６】
2006152790.tif 000008
【図７】
2006152790.tif 000009